(57)【要約】      （修正有）【課題】牛への装着作業を容易且つ迅速に行うことができるばかりでなく、構造が簡単で安価に製造することができ、装着後も牛を衛生的に管理することができる飼育牛用鼻輪を提供する。【解決手段】先端が尖頭状に形成された矢尻管４と、矢尻管４の後端に嵌合可能にされると共に、その両端部が係止杆２ｂとして外向きに拡径して略Ω字状を成すリング２と、係止杆２ｂと嵌合可能に形成された一対の係止溝をその両端に設けた桁木とから構成し、係止杆２ｂは人手によって折曲可能な可撓性材質とする。【選択図】図１
0003157051.tif 000002
【実用新案登録請求の範囲】
【請求項１】
牛の鼻中隔を貫通して左右の鼻腔の間に跨って装着される牛用鼻輪であって、先端が尖頭状に形成された矢尻管と、該矢尻管の後端に嵌合可能にされると共に、その両端部が係止杆として外向きに拡径して略Ω字状を成すリングと、前記係止杆と嵌合可能に形成された一対の係止溝をその両端に設けた桁木とからなり、前記係止杆は人手によって折曲可能な可撓性材料で形成されていることを特徴とする牛用鼻輪。
【考案の詳細な説明】
【技術分野】
【０００１】
本考案は、飼育牛の牽引移動の際に綱を繋いで使用される鼻輪に関するものである。
【背景技術】
【０００２】
従来、飼育牛の牽引移動は牛に鼻輪を取り付け、この鼻輪に牽引用のロープを締結している。従来の牛の鼻輪として、古くから用いられてきた伝統的なものは、略Ｕ字状に形成された鼻串の両端を、直方体の桁木の両端部に設けた嵌挿孔にそれぞれ挿入し、木釘でもって鼻串と桁木とを固定するようにしたものや、金属製半円弧形状の鼻串で端部をネジ止めするものなどがあり、鼻中隔に未だ貫通孔の開けられていない子牛にこのような鼻輪を装着する際には、先ず穿孔具で鼻中隔に貫通孔を穿孔し、その後、鼻輪を挿通させるという方法が採られていた。
【０００３】
このような鼻輪は、穿孔具を用いた穿孔作業と鼻串の挿通作業及び鼻串と桁木の結合作業を別々に行う必要があり、作業の迅速性、的確性という観点からみて問題があった。
【０００４】
そこで、例えば、特許文献１や特許文献２に示されるような鼻輪が提案されている。これらの鼻輪は、プラスチック等の可撓体よりなるＣ字状環の一端に尖頭状の矢尻部を設け、他端にこの矢尻部の係止部を設けることを基本構成とし、鼻輪自体が穿孔作業を可能にすることで、鼻輪装着作業の労力軽減と迅速化を図ったものである。
【先行技術文献】
【特許文献】
【０００５】
【特許文献１】特許第３１９８９３９号公報
【特許文献２】特許第４１６６７３２号公報
【考案の概要】
【考案が解決しようとする課題】
【０００６】
確かに、これらの文献に記載された鼻輪によれば、鼻輪本体のみで直接穿孔作業を行うため装着作業の迅速化が図れるものの、例えば、特許４１４０７９２５号に記載されたような鼻輪の縮径作業用の大型ペンチのような特殊な工具が必要になる。また、矢尻部、とくにその係止部の構造が複雑で加工コストが嵩む。また、工具を使用するとめくら作業になり、鼻中隔の比較的無痛で穿孔が容易な箇所を認識しながら丁寧に作業することができず、鼻切れが発生し易く、負傷箇所の予後も悪い。また、牛が餌を摂食する際に桁木が垂れ下がり餌や給水が付着し、雑菌等が繁殖し不衛生になり易いという問題があった。
【０００７】
本考案は上記のような従来技術の課題に鑑み、飼育牛への装着作業を容易且つ迅速に行うことができるばかりでなく、構造が簡単で安価に製造することができ、装着後も牛を衛生的に管理することができる飼育牛用鼻輪を提供することを目的とするものである。
【課題を解決するための手段】
【０００８】
このため、本考案は、牛の鼻中隔を貫通して左右の鼻腔の間に跨って装着される牛用鼻輪において、先端が尖頭状に形成された矢尻管と、該矢尻管の後端に嵌合可能にされると共に、その両端部が係止杆として外向きに拡径して略Ω字状を成すリングと、前記係止杆と嵌合可能に形成された一対の係止溝をその両端に設けた桁木とからなり、前記係止杆は人手によって折曲可能な可撓性材料で形成されていることを第１の特徴とする。
【考案の効果】
【０００９】
飼育牛への装着作業を容易且つ迅速に行うことができるばかりでなく、構造が簡単で安価に製造することができ、装着後も飼育牛を衛生的に管理することができる。
【図面の簡単な説明】
【００１０】
【図１】本考案に係る鼻輪の鼻串と矢尻管の一実施例を示す斜視図である。
【図２】鼻串に矢尻管を嵌装した状態を示す斜視図である。
【図３】鼻串と桁木の組み立て状態を示す斜視図である。
【図４】本考案に係る鼻輪の使用状態を模式的に示す正面図である。
【図５】鼻輪の使用状態を示す側面図である。
【考案を実施するための形態】
【実施例】
【００１１】
図１乃至図５に示すように、本考案に係る鼻輪１のリング２は、略Ω字状を基本とし、桁木３は、リング２に対する固定機能と牛拘束用の網５の止着機能とを有するものであって、直方体の所定長さの木製棒状体で構成される。そして、この桁木３の両端部には、一対のリング嵌挿孔３ａが、外側斜め方向に向かってそれぞれ貫通形成されると共に、中央部には、綱５を締結するための弧状の面取り部３ｃが形成されている。
【００１２】
本考案に係る牛用鼻環１では、牛Ｆの鼻隔中Ｎへの装着に際し、先ず、Ω字状のリング２の一端部を、先端が尖頭状に形成された矢尻管４の後端に嵌合し、その状態で、一方の鼻孔Ｈから矢尻管を牛の鼻隔中Ｎに突き刺して貫通させ、そのまま他方の鼻孔Ｈ外へ突出させる。この状態でリング２をその円弧形状に倣って挿通させ、リング２の一端部が鼻孔Ｈ外に出た段階で、端部から矢尻管４を離脱する。ここで、リング２は比較的硬度の高い金属のようなリング本体２ａと、後述するように、人手で折曲可能な程度に柔軟な可撓性材料（例えば、軟鋼）で形成された一対の係止杆２ｂとを、ビニール（合成樹脂被膜で被覆して構成されている。リング本体２ａと一対の係止杆２ｂとの接合は材料が金属であれば溶接等により行い、その手法は任意である。
【００１３】
次いで、両方の鼻孔Ｈから突出したリング２の一対の係止杆（両端部）２ｂを、牛の鼻腔の前方を跨いだ桁木３の両端に傾斜して穿設された一対のリング挿通孔３ａに挿通させると共に、これらリング挿通孔３ａに連続して形成された一対の係止溝３ｂに沿って係止杆（リング両端部）２ｂを折り曲げて、それぞれ抜け止め嵌合する。リング挿通孔３ａを桁木３に対して略ハ字上に拡径するように傾斜して固定することで、十分な固定力は得られるものの、極めて強力な牽引や牛の挙動により瞬発的発生する過剰な引張力に対しては、桁木３が外れ、鼻切れしないようにされている。また、係止溝３ｂには溝部分を溝の両縁部分から覆うように弾発力のある一対の鍔部３ｃが設けられ、鍔部３ｃの弾発に抗して係止杆２ｂが挿入されると、鍔部３ｃが閉じて係止杆２ｂはそのまま一対の鍔部３ｃによって固定される。つまり、牛の鼻中隔Ｎを貫通して左右の鼻腔の間に跨って装着されたリング２の両端部が桁杆３に固定される。尚、一対の係止杆２ｂは、人手で折曲可能な程度に柔軟な可撓性材料（例えば、軟鋼）で形成されており、これを外向きに折り返して変形させる。図３に鎖線で示すように、人手により鼻串を撓曲変形させることで可能となる。
【００１４】
以上のように、本考案に係る鼻輪１によれば、リング２の一端部に一時的に尖頭状の矢尻管４を装着し、これを用いて鼻中隔Ｈに穿孔し、且つこれを貫通させるという作業を連続した一回の作業で完了できるものであり、これらの各作業をそれぞれ独立して個別に行う場合に比して、鼻輪の装着作業の簡便化且つ迅速化を図ることができる。
【００１５】
また、飼育牛に鼻輪１を装着した状態においては、桁木３を上方に折り曲げることが可能で、放牧中にその口元に桁木が垂れ下がり餌や給水が付着し、雑菌等が繁殖し不衛生になり易いという問題を解消する。その結果、飼育牛を衛生的に管理することができる。
【００１６】
リング２は、桁木３のリング嵌挿入孔に嵌挿可能な外形寸法をもつ例えば硬質樹脂製の管体あるいは棒体を略Ω字状に湾曲成形して構成されるものであって。略Ω字状部分を拡開収縮させる方向への撓曲変形に対して適度の弾性を有している。尚、鼻串の材質は成形後の形状保持と適度の可撓性を確保できる材質であれば良く、上記のような金属に限られるものではない。
【００１７】
そして、リングの両端部は、桁木３のリング嵌挿孔３ａに挿入され、人力で容易に折曲可能な硬度であって、桁木３に対して略ハ字上に挿通させることで固定力が増し、抜け止め効果が向上する。
【００１８】
以上のように構成されたリング２と桁木３とは、桁木３にリング２を嵌挿してその両端部を抜け止めすることで、これら両者が一体化され鼻輪１を構成する。また、リング両端部の係止杆２ｂの抜け止め効果を更に向上させるために、別途、締結リボン等の止具を使用するとなお良い。
【００１９】
尚、上記実施例においては、鼻輪の一つの構成部材であるリングを、円形状の本体と、この本体の両端からそれぞれ略直線状に延び且つ相互に拡径して略ハ字状に形成された係止杆２ｂとを備えた構成としているが、本考案のリングは、要するに牛の鼻腔壁を貫通してその両端部が左右の鼻腔から外側へ延出し、それぞれ桁木側に固定し得るような略Ω字状に湾曲して形成されていれば足りるものであり、リング及び桁木の寸法は、鼻輪の使用対象となる牛の大きさに応じて適宜選択される。
【符号の説明】
【００２０】
１    鼻輪
２    リング
３    桁木
４    矢尻管
５    綱
【図１】
0003157051.tif 000003
【図２】
0003157051.tif 000004
【図３】
0003157051.tif 000005
【図４】
0003157051.tif 000006
【図５】
0003157051.tif 000007